(57)【要約】【課題】植付作業時に使用する操作手段の操作がしやすく視認性を向上した田植機を提供する。【解決手段】運転席１９と、該運転席１９の前方に配置されて操向ハンドル１８を設けるダッシュボード１７とを走行部１０に備え、該走行部１０に植付部４０を昇降可能に連結した田植機１において、前記操向ハンドル１８を前記ダッシュボード面１７ａから上方へ突出するハンドル軸９により支持するとともに、植付操作時に使用する植付用操作手段を配置する植付操作パネル５１を前記ダッシュボード面１７ａに設けて、該植付操作パネル面５１ａを前記ハンドル軸９の軸心方向と直交する面である操向ハンドル面１８ａよりも大きく前記運転席１９に向かって下り傾斜する傾斜面とした。【選択図】図３
2011055800.tif 000002
【特許請求の範囲】
【請求項１】
運転席と、該運転席の前方に配置されて操向ハンドルを設けるダッシュボードとを走行部に備え、該走行部に植付部を昇降可能に連結した田植機において、
前記操向ハンドルを前記ダッシュボードの上面から上方へ突出するハンドル軸により支持するとともに、植付作業時に使用する植付用操作手段を配置する植付操作パネルを前記ダッシュボードの上面に設けて、該植付操作パネルのパネル面を前記ハンドル軸の軸心方向と直交する面よりも大きく前記運転席に向かって下り傾斜する傾斜面としたことを特徴とする田植機。
【請求項２】
前記植付操作パネルを前記操向ハンドルのハンドル軸よりも前記運転席側に配置したことを特徴とする、請求項１に記載の田植機。
【請求項３】
前記植付部における作業状況を表示する表示パネルを前記ダッシュボードの上面に設けて、この表示パネルのパネル面を前記運転席に向かって下り傾斜する傾斜面とし、前記植付操作パネルのパネル面を、前記表示パネルのパネル面と同一の勾配で、または該パネル面よりも小さな勾配で傾斜させたことを特徴とする、請求項１または請求項２に記載の田植機。
【請求項４】
前記植付操作パネルのパネル面に配置される植付用操作手段は、条止め操作手段とすることを特徴とする、請求項１から請求項３のいずれか一項に記載の田植機。
【請求項５】
前記条止め操作手段は、前記植付操作パネルに対して着脱可能に構成することを特徴とする、請求項４に記載の田植機。
【発明の詳細な説明】
【技術分野】
【０００１】
本発明は、田植機に関し、詳しくは、走行部の操作パネル上に配置される操作手段の配置に関するものである。
【背景技術】
【０００２】
従来、走行部上に操向ハンドルや運転席等を配設し、走行部の後側に植付部を昇降自在に連結した乗用の田植機が公知となっている。このような田植機は、走行部上で運転席の前方にハンドルコラムを立設し、該ハンドルコラム上にダッシュボードを配置し、該ダッシュボード上面の後部からハンドル軸を上方へ突出させ、該ハンドル軸上に操向ハンドルを設けている。また、前記田植機は、前記ハンドル軸の前方のダッシュボード上面に表示パネルと条止めを行う複数のスイッチを含む各種の操作手段を配置している（例えば、特許文献１参照）。
【先行技術文献】
【特許文献】
【０００３】
【特許文献１】特開２００７−２６７７５４号公報
【発明の概要】
【発明が解決しようとする課題】
【０００４】
しかしながら、上述の特許文献１に記載の田植機では、運転席に着座した作業者がダッシュボードの上面を見たとき、ダッシュボードの上面に太陽の光等が反射して作業者の目に入るようなことがあり、植付作業時に使用する操作手段を視認しにくくなることがあった。
また、植付作業時に使用する操作手段の操作方向が運転席に着座した作業者にとって操作しやすい方向になっておらず、作業者が運転席に着座した状態で植付作業時に使用する操作手段を操作しにくいことがあった。
【０００５】
そこで、本発明は係る課題に鑑み、植付作業時に使用する操作手段の操作がしやすく視認性を向上した田植機を提供する。
【課題を解決するための手段】
【０００６】
本発明の解決しようとする課題は以上の如くであり、次にこの課題を解決するための手段を説明する。
【０００７】
即ち、請求項１においては、運転席と、該運転席の前方に配置されて操向ハンドルを設けるダッシュボードとを走行部に備え、該走行部に植付部を昇降可能に連結した田植機において、前記操向ハンドルを前記ダッシュボードの上面から上方へ突出するハンドル軸により支持するとともに、植付作業時に使用する植付用操作手段を配置する植付操作パネルを前記ダッシュボードの上面に設けて、該植付操作パネルのパネル面を前記ハンドル軸の軸心方向と直交する面よりも大きく前記運転席に向かって下り傾斜する傾斜面としたものである。
【０００８】
請求項２においては、前記植付操作パネルを前記操向ハンドルのハンドル軸よりも前記運転席側に配置したものである。
【０００９】
請求項３においては、前記植付部における作業状況を表示する表示パネルを前記ダッシュボードの上面に設けて、この表示パネルのパネル面を前記運転席に向かって下り傾斜する傾斜面とし、前記植付操作パネルのパネル面を、前記表示パネルのパネル面と同一の勾配で、または該パネル面よりも小さな勾配で傾斜させたものである。
【００１０】
請求項４においては、前記植付操作パネルのパネル面に配置される植付用操作手段は、条止め操作手段とするものである。
【００１１】
請求項５においては、前記条止め操作手段は、前記植付操作パネルに対して着脱可能に構成するものである。
【発明の効果】
【００１２】
本発明の効果として、以下に示すような効果を奏する。
【００１３】
請求項１の発明によれば、植付操作パネルのパネル面がダッシュボードの上面より所定角度運転席側に起立するように傾斜して配置されることとなるため、植付操作パネルのパネル面が見やすくなり、植付用操作手段も容易に認識することが可能となる。したがって、植付用操作手段を容易に視認して操作することが可能となる。
また、植付操作パネルを他の操作手段と容易に区別することが可能になるとともに、植付用操作手段の操作方向が運転席に着座した作業者にとって操作しやすい方向になって、作業者が運転席に着座した状態で無理に手や指を曲げることなく容易に操作することが可能となる。したがって、植付用操作手段の操作性が向上する。
【００１４】
請求項２の発明によれば、運転席に着座した作業者が操向ハンドル及びハンドル軸に遮られることなく植付用操作手段を見ることが可能となる。したがって、植付用操作手段の視認性が更に向上する。
また、運転席に着座した作業者が操向ハンドルを操作しながらでも、姿勢をほとんど変えずに植付用操作手段を操作することが可能となる。したがって、植付用操作手段の操作性が更に向上する。
【００１５】
請求項３の発明によれば、運転席に着座した作業者が、表示パネルのパネル面を見て植付部の作業状況を把握しながら、植付操作パネルのパネル面に位置する植付用操作手段の操作を行う際、表示パネルのパネル面と植付用操作手段とが同時に見やすくなる。したがって、植付用操作手段の操作を適確かつ容易に行うことができる。
【００１６】
請求項４の発明によれば、条止め操作手段を植付部や運転席側方に設ける構成に比べて、条止め操作手段を容易に認識できて、操作しやすくなる。
【００１７】
請求項５の発明によれば、条止め操作手段を植付操作パネルから外して、この条止め操作手段の代わりに、異なる仕様の条止め操作手段や別の部材を植付操作パネルに配置することが可能となる。したがって、植付操作パネル部分の仕様変更を容易に行うことができ、その仕様変更にかかるコストを削減することもできる。
【図面の簡単な説明】
【００１８】
【図１】本発明の一実施形態に係る田植機の全体構成を示す側面図。
【図２】本発明の一実施形態に係る田植機の全体構成を示す平面図。
【図３】本発明の一実施形態に係る田植機のダッシュボードを側面から見た概略図。（ａ）植付操作パネル面を表示パネル面と同一の勾配で傾斜させた場合の図。（ｂ）植付操作パネル面を表示パネル面よりも小さな勾配で傾斜させた場合の図。
【図４】本発明の一実施形態に係る田植機のダッシュボードを運転席側から見た図。
【図５】本発明の一実施形態に係る田植機のダッシュボードを左後方から見た斜視図。
【図６】ダッシュボードの植付操作パネルを示す図。（ａ）異なる仕様の条止め操作ユニットを配置した場合の図。（ｂ）条止め操作ユニットの代わりに蓋を配置した場合の図。
【発明を実施するための形態】
【００１９】
まず、本発明の一実施例に係る田植機１の全体構成について、図１、図２を用いて説明する。なお、本実施形態においては、田植機は八条植えの田植機とするが、これは特に限定するものではなく、例えば六条植えや十条植えの田植機であってもよい。
【００２０】
図１に示すように、田植機１は、走行部１０と植付部４０とを有し、走行部１０により走行しながら、植付部４０により苗を圃場に植え付けることができるように構成される。植付部４０は、走行部１０の後方に配置されて、この走行部１０の後部に昇降機構３０を介して昇降可能に連結される。
【００２１】
走行部１０においては、エンジン１４が車体フレーム１１の前部に設けられて、ボンネット１５により被覆される。図示しないミッションケースが車体フレーム１１の前部に支持されて、エンジン１４の下方に配置される。
【００２２】
フロントアクスルケース６が車体フレーム１１の前部に支持され、前車輪１２が当該フロントアクスルケース６の左右両側に取り付けられる。リアアクスルケース７が車体フレーム１１の後部に支持され、後車輪１３が当該リアアクスルケース７の左右両側に取り付けられる。
【００２３】
そして、エンジン１４の動力が前記ミッションケースを介して左右の前車輪１２と左右の後車輪１３とにそれぞれ伝達されて、これらの前車輪１２および後車輪１３が回転駆動するように、動力伝達機構が構成される。これにより、走行部１０が前進または後進走行可能とされる。
【００２４】
また、走行部１０においては、車体フレーム１１の前後中途部に運転操作部２１が設けられる。運転操作部２１の前部には、操向操作用の環状の操向ハンドル１８や、変速操作用の変速ペダルなどが配置される。運転操作部２１の後部には、運転席１９が操向ハンドル１８の後方に位置するように配置される。
【００２５】
そのうえ、運転操作部２１の操向ハンドル１８や運転席１９の周りに、ダッシュボード１７や、一部を乗降用ステップとする車体カバー１６や、その他のレバーやスイッチ等の操作具が配置される。これらの操向ハンドル１８、変速ペダル、およびその他の操作具によって、走行部１０および植付部４０に対して適宜の操作を行うことが可能とされる。
【００２６】
走行部１０においては、また、予備苗載台２４が車体フレーム１０の前部の左右両側から立設された各取付フレーム２３に取り付けられて、ボンネット１５の左右両側方に配置される。そして、予備苗が予備苗載台２４に載置されて、植付部４０への苗補給が可能とされる。
【００２７】
走行部１０においては、また、施肥装置２２が車体フレーム１１の後部に支柱フレーム２０などを介して支持されて、運転操作部２１の運転席１９の後方に配置される。施肥装置２２は、エンジン１４からの動力により駆動されて、圃場に施肥を行うことができるように構成される。
【００２８】
植付部４０においては、植付ミッションケースが植付フレーム４９の下部中央付近に支持され、伝動軸ケースが当該植付ミッションケースから左右両側方に延設される。四つの植付伝動ケース４６がそれぞれ前記伝動軸ケースから後方に延設されて、左右方向に適宜の間隔をとって配置される。
【００２９】
ロータリケース４４が各植付伝動ケース４６の後端部左右両側に回動自在に支持される。ロータリケース４４は植付条数と同数、即ち本実施形態では八つ備えられる。そして、二つの植付爪４５が、ロータリケース４４の回転支点を挟むように、このロータリケース４４の長手方向両側にそれぞれ取り付けられる。
【００３０】
苗載台４１が植付伝動ケース４６の上方に前高後低の傾斜状態で配置されて、植付フレーム４９の後部に上下のガイドレールを介して左右方向に往復動可能に取り付けられる。苗載台４１は植付条数と同数、即ち本実施形態では八つ備えられ、横送り機構により一斉に左右往復横送り可能とされる。
【００３１】
複数の苗載台４１は、それぞれの下端側が一つのロータリケース４４と対向するように、左右方向に並べられる。そして、苗マットが各苗載台４１に載置されて、ロータリケース４４の回転時に植付爪４５により苗が当該各苗載台４１上の苗マットから取出可能とされる。
【００３２】
苗縦送りベルト４７が各苗載台４１に設けられる。苗縦送りベルト４７は、苗載台４１が左右往復横送りのストローク端に到達するごとに、縦送り機構により苗載台４１上の苗マットを下方へ向かって縦送りするように駆動可能とされる。
【００３３】
そして、動力伝達機構が、エンジン１４の動力が植付ミッションケースなどを介して各ロータリケース４４に伝達されて、このロータリケース４４が回転駆動するように構成される。これにより、ロータリケース４４の回転駆動にともなって、二つの植付爪４５が交互に苗を苗載台４１上の苗マットから取り出して圃場に植付可能とされる。
【００３４】
同時に、エンジン１４の動力が植付ミッションケースなどを介して横送り機構および縦送り機構に伝達されて、苗載台４１が横送り機構により左右往復横送りされ、苗載台４１上の苗マットが載台の左右往復横送りに応じて縦送り機構により苗縦送りベルト４７を介して下方へ向けて縦送りされるように、動力伝達機構が構成される。これにより、苗載台４１上の苗マットが植付爪４５に対して適切な位置に移動される。
【００３５】
ここで、前記動力伝達機構は、植付クラッチを含み、植付クラッチの断接に応じて、エンジンの動力が苗縦送りベルト４７とロータリケース４４とに伝達される、または伝達されないように構成される。この植付クラッチの断接は、後述する条止め操作スイッチ６２、６３、６４、６５の操作により切り替えられる。
【００３６】
植付部４０においては、また、中央２条分ずつの圃場面を整地する左右のセンターフロート４２と、左右２条分ずつの圃場面を整地する左右のサイドフロート４３とが、それぞれの前部側が後部側を回動支点として上下動自在となるように植付フレーム４９側に支持されて、植付伝動ケース４６の下方に配置される。
【００３７】
植付部４０においては、また、線引きマーカ４８が植付フレーム４９の下部の左右両側に回動可能に支持される。左右の各線引きマーカ４８は、その基端側を回動支点として、上方へ向かって回動されることにより収納され、この収納状態から下方へ向かって回動されることにより先端側を左または右側方へ突出させて、圃場に線引きを行うことができるように構成される。
【００３８】
また、前述の昇降機構３０が走行部１０と植付部４０との間に設けられる。具体的には、トップリンク３１とロワリンク３２とが走行部１０と植付部４０との間に架設され、昇降用シリンダがロワリンク３２と走行部１０との間に連結される。そして、この昇降用シリンダの伸縮動作によって、植付部４０が走行部１０に対して上下方向に回動可能、即ち昇降可能とされる。
【００３９】
次に、ダッシュボード１７およびその周囲の構成について、図３、図４、図５を用いて説明する。
【００４０】
なお、以下の説明では、ダッシュボード１７の上面が形成する面をダッシュボード面１７ａとし、操向ハンドル１８の上面が形成する面をハンドル面１８ａとし、植付操作パネル５１の上面が形成する面を植付操作パネル面５１ａとし、表示パネル５０の上面が形成する面を表示パネル面５０ａとする。
【００４１】
図１、図３に示すように、コラム８がボンネット１５の後部付近に立設されて、ダッシュボード１７が当該コラム８の上部に張設されている。そして、環状の操向ハンドル１８がダッシュボード１７の上方に配置されて、ダッシュボード面１７ａから上方に向かって突出されたハンドル軸９の突出端部に連結されている。
【００４２】
ダッシュボード面１７ａは、側面視で前高後低となるように後下がりに傾斜した状態に形成されて、運転席１９に向かって下り傾斜する傾斜面とされる。このダッシュボード面１７ａの略左右中央であって前後中央よりもやや後側に、ハンドル軸９が軸心方向を当該ダッシュボード面１７ａと直交させるように配置されている。また、ダッシュボード面１７ａには、植付操作パネル５１と表示パネル５０とが配設されている。
【００４３】
操向ハンドル１８は、そのハンドル面１８ａが後下がりに傾斜するように配置されている。操向ハンドル１８の中心部にハンドル軸９の突出端部が連結されて、このハンドル軸９がハンドル面１８ａかつダッシュボード面１７ａと直交するように配置されている。
【００４４】
ここで、ハンドル面１８ａの水平面に対する角度を傾斜角θ１とし、ダッシュボード面１７ａの水平面に対する角度を傾斜角θ２とした場合、傾斜角θ１と傾斜角θ２は略同じ傾斜角（θ１＝θ２）となる。すなわち、ハンドル面１８ａとダッシュボード面１７ａとは略平行とされている。
【００４５】
図３、図４、図５に示すように、ダッシュボード１７において、ハンドル軸９の前方であって、ダッシュボード１７の左右方向略中央部に、表示パネル５０が配置されている。表示パネル５０は、長手方向を左右に向けた略長方形状の画面で構成されており、植付部４０における作業状況を表示可能に構成される。
【００４６】
また、ダッシュボード１７において、ハンドル軸９の後方には、略長方形状の植付操作パネル５１が設けられている。植付操作パネル５１には、植付作業時に使用する植付用操作手段が設けられている。好ましくは、植付用操作手段には、植付作業時に使用頻度が高い操作手段が設けられる。
【００４７】
本実施形態においては、植付操作パネル５１に、植付用操作手段として、条止め操作ユニット６０、感度ボリューム５５、ブザー停止スイッチ５６が配置されている。また、植付操作パネル５１には、エンジンキー差込口５７が配置されている。なお、植付操作パネル５１に配置される植付用操作手段は、これらに限定されるものではない。
【００４８】
図３に示すように、植付操作パネル５１の植付操作パネル面５１ａは、側面視で前高後低となるように後下がりに傾斜した状態に形成されて、運転席１９に向かって下り傾斜する傾斜面とされる。この植付操作パネル面５１ａは、ダッシュボード面１７ａ（ハンドル面１８ａ）よりも大きく運転席１９に向かって下り傾斜する傾斜面とされている。
すなわち、植付操作パネル面５１ａの水平面に対する角度を傾斜角θ３とした場合、傾斜角θ３はダッシュボード面１７ａ（ハンドル面１８ａ）の水平面に対する角度である傾斜角θ２（θ１）よりも大きく（θ３＞θ２（θ１））なっている。
【００４９】
同様に、表示パネル５０の表示パネル面５０ａは、側面視で前高後低となるように後下がりに傾斜した状態に形成されて、運転席１９に向かって下り傾斜する傾斜面とされる。この表示パネル面５０ａは、ダッシュボード面１７ａ（ハンドル面１８ａ）よりも大きく運転席１９に向かって下り傾斜する傾斜面とされている。
すなわち、表示パネル面５０ａの水平面に対する角度を傾斜角θ４とした場合、傾斜角θ４はダッシュボード面１７ａ（ハンドル面１８ａ）の水平面に対する角度である傾斜角θ２（θ１）よりも大きく（θ４＞θ２（θ１））なっている。
【００５０】
表示パネル５０の表示パネル面５０ａと植付操作パネル５１の植付操作パネル面５１ａとは、ダッシュボード面１７ａにおいて、ハンドル軸９を挟んで前後に配置されている。本実施形態においては、図３（ａ）に示すように、表示パネル５０の表示パネル面５０ａは、植付操作パネル５１の植付操作パネル面５１ａと平行な傾斜面とされている。
すなわち、表示パネル面５０ａの水平面に対する角度を傾斜角θ４とした場合、傾斜角θ４は、植付操作パネル面５１ａの水平面に対する角度である傾斜角θ３と同じ（θ４＝θ３）になっている。
【００５１】
なお、図３（ｂ）に示すように、表示パネル５０の表示パネル面５０ａは、前記植付操作パネル５１の植付操作パネル面５１ａよりも大きく運転席１９に向かって下り傾斜する傾斜面としてもよい。
すなわち、表示パネル面５０ａの水平面に対する角度を傾斜角θ４とした場合、傾斜角θ４は、植付操作パネル面５１ａの水平面に対する角度である傾斜角θ３よりも大きく（θ４＞θ３）してもよい。
【００５２】
言い換えれば、植付操作パネル５１の植付操作パネル面５１ａが、表示パネル５０の表示パネル面５０ａと同一の勾配で、または、この表示パネル面５０ａよりも緩やかに運転席１９に向かって下り傾斜する一方、ダッシュボード面１７ａよりも大きく運転席１９に向かって下り傾斜することとなっている。
このように、植付操作パネル面５１ａと表示パネル面５０ａとが同一の勾配で傾斜する場合を除いて、ダッシュボード面１７ａと表示パネル面５０ａと植付操作パネル面５１ａとはそれぞれ異なる勾配で傾斜することとなっている。
【００５３】
そして、運転席１９に着座した作業者から見て、表示パネル面５０ａが環状の走行ハンドル１８の内周側に位置し、植付操作パネル面５１ａが走行ハンドル１８の後部付近に位置するように配置されている。
【００５４】
図４、図５に示すように、条止め操作手段である条止め操作ユニット６０は、自動マーカスイッチ６１、条止めスイッチ６２、６３、６４、６５を有する。自動マーカスイッチ６１、条止めスイッチ６２、６３、６４、６５は、それぞれ隣り合うスイッチと左右方向に所定間隔を開けて、左方から順に配置されている。
【００５５】
自動マーカスイッチ６１は、植付作業時に適切な隣接条間を保ち、直進の目標となるように圃場上面に線を引く線引きマーカ４８の出し入れ（突出または収納）を、田植機１の旋回操作に伴い、左右交互に自動的に切り替えるように設定するスイッチである。
【００５６】
条止めスイッチ６２、６３、６４、６５は、上述の植付クラッチを操作するスイッチである。条止めスイッチ６２、６３、６４、６５を一度操作することによって、植付クラッチが作動して断となり、操作されたスイッチに対応した条の苗縦送りベルト４７とロータリケース４４とに動力が伝達されなくなって、苗縦送りベルト４７とロータリケース４４が停止する。この状態で、条止めスイッチ６２、６３、６４、６５を再度操作することによって、植付クラッチが作動して接となり、操作されたスイッチに対応した条の苗縦送りベルト４７とロータリケース４４とに動力が伝達されて、苗縦送りベルト４７とロータリケース４４が駆動する。
【００５７】
本実施形態においては、苗縦送りベルト４７とロータリケース４４とが次のように各スイッチの操作に応じて駆動または停止する。すなわち、条止めスイッチ６２の操作によって、左側２条分の苗縦送りベルト４７とロータリケース４４が駆動または停止する。条止めスイッチ６３の操作によって、中央左側２条分の苗縦送りベルト４７とロータリケース４４が駆動または停止する。条止めスイッチ６４の操作によって、中央右側２条分の苗縦送りベルト４７とロータリケース４４が駆動または停止する。条止めスイッチ６５の操作によって、右側２条分の苗縦送りベルト４７とロータリケース４４が駆動または停止する。
【００５８】
また、条止め操作ユニット６０は、植付操作パネル５１の植付操作パネル面５１ａに対して着脱可能に構成されている。こうして、植付操作パネル５１の植付操作パネル面５１ａには、条止め操作ユニット６０の代わりに、例えば、図６（ａ）に示すように、植付条数が１０条に変更された場合には、一つの自動マーカスイッチ１６１と五つの条止めスイッチ１６２、１６３、１６４、１６５、１６６とを有する条止め操作ユニット１６０が配置可能とされる。また、図６（ｂ）に示すように、条止め操作ユニット自体が不要な場合には、蓋２６０が配置可能とされる。
【００５９】
感度ボリューム５５は、圃場の硬軟に応じて感度を調節するものであり、フロートセンサからの信号に対する昇降アクチュエータの昇降駆動を、硬い場合には鈍感とし、柔らかい場合には敏感となるように調節するものである。
【００６０】
ブザー停止スイッチ５６は、植付クラッチ警報、苗つぎ警報、肥料補給警報、肥料詰り警報等のために、走行部１０または植付部４０に設けられた警報ブザーが鳴ったとき、作業者１００が認識すれば手動で警報ブザーの鳴動を停止させるためのスイッチである。
【００６１】
エンジンキー差込口５７は、電源をＯＮとし、エンジン１４を始動させるためにキーを差し込む穴である。作業者がキーを差し込み、電源をＯＮ位置から始動位置まで回すと、セルモータが回転し、エンジン１４が始動する。
【００６２】
このように、条止め操作ユニット６０、感度ボリューム５５、ブザー停止スイッチ５６からなる植付用操作手段が植付操作パネル面５１ａに配置される一方、この植付用操作手段以外の操作手段がダッシュボード面１７ａに配置されている。
【００６３】
操向ハンドル１８及び植付操作パネル５１の左方には、主変速レバー５２が配置されている。主変速レバー５２は、田植機１の走行モードを「移動走行」、「植付」、「後進」、「苗つぎ」、「中立」の各走行モードに切り替える操作手段である。
【００６４】
また、操向ハンドル１８のハンドル軸９には、速度固定レバー５３が設けられている。速度固定レバー５３は、変速ペダルの操作により走行部１０が所望の走行速度に達したときに操作されて、走行部１０がその走行速度を維持しながら走行できるようにするための操作手段である。
【００６５】
また、操向ハンドル１８の右方には、油圧植付レバー５４が設けられている。油圧植付レバー５４は、植付部の昇降、植付の入切、植付時の変速の操作を行う操作手段である。
【００６６】
なお、ダッシュボード面１７ａに配置されるものは以上の操作手段に限定されず、操作手段の配置も図４、図５に示す配置に限定されない。他にダッシュボード面１７ａに配置される操作手段としては、例えば、速度選択スイッチ７１、コンビネーションスイッチ７２、油圧ストップスイッチ７３、植付部傾斜設定器７４、圃場条件スイッチ７５、シーソスイッチ７６がある。
【００６７】
速度選択スイッチ７１は、田植機１の速度を「低速」、「中速」、「標準」の各速度モードに切り替える操作手段である。速度選択スイッチ７１は、表示パネル５０と植付操作パネル５１との間かつハンドル軸９の左側方で、表示パネル５０寄りに配置されている。
【００６８】
コンビネーションスイッチ７２は、ホーンボタン、フラッシャスイッチ、ライトスイッチを有する操作手段である。コンビネーションスイッチ７２は、表示パネル５０と植付操作パネル５１との間かつハンドル軸９の左側方で、植付操作パネル５１寄りに配置されている。
【００６９】
コンビネーションスイッチ７２において、中央部のホーンボタンを押すと警報（ホーン）が鳴る。ホーンボタンの下方に位置する略直方体形状のフラッシャスイッチを左右に回転させると、回転させた側のフラッシャランプ（方向指示器）が点滅する。このフラッシャランプの点滅により、田植機１の旋回方向を知らせることが可能となる。ホーンボタンの左方に位置する略直方体形状のライトスイッチを前方に回転させると、前照灯が点灯する。
【００７０】
油圧ストップスイッチ７３は、植付部４０の上昇・下降用の油圧をストップし、植付部４０を固定するのに使用する操作手段である。油圧ストップスイッチ７３は、表示パネル５０と植付操作パネル５１との間かつハンドル軸９の右側方で、植付操作パネル５１寄りに配置されている。
【００７１】
植付部傾斜設定器７４は、油圧の制御により植付部４０を左右水平に保つための操作手段である。植付部傾斜設定器７４は、表示パネル５０と植付操作パネル５１との間かつハンドル軸９の右側方で、表示パネル５０寄りに配置されている。
【００７２】
圃場条件スイッチ７５は、「深水」、「標準」、「枕地」の各圃場の状態に応じて植付深さを設定する操作手段である。圃場条件スイッチ７５は、表示パネル５０の右側方かつ油圧植付レバー５４の前方に配置されている。
【００７３】
シーソスイッチ７６は、モータの制御により植付部４０を前後水平に保つための操作手段である。シーソスイッチ７６は、表示パネル５０の右側方かつ油圧植付レバー５４の前方で圃場条件スイッチ７５と並べて配置されている。
【００７４】
このような構成により、植付操作パネル面５１ａに配置されている植付用操作手段、即ち条止め操作ユニット６０や感度ボリューム５５などが、ダッシュボード面１７ａに配置されている他の操作手段、即ち主変速レバー５２や油圧植付レバー５４と比べて、異なる角度でダッシュボード面１７ａ側から突出した状態に配置されることになる。
その結果、植付操作パネル面５１ａに配置されている植付用操作手段が、他の操作手段と明確に区別されることになり、運転席１９に着座した作業者がダッシュボード１７のダッシュボード面１７ａを見たとき、操作系ごとに必要な操作手段を容易に判別可能となっている。
【００７５】
以上の如く、本発明の一実施形態に係る田植機１は、運転席１９と、該運転席１９の前方に配置されて操向ハンドル１８を設けるダッシュボード１７とを走行部１０に備え、該走行部１０に植付部４０を昇降可能に連結した田植機１において、前記操向ハンドル１８を前記ダッシュボード１７の上面、即ちダッシュボード面１７ａから上方へ突出するハンドル軸９により支持するとともに、植付作業時に使用する植付用操作手段、即ち条止め操作ユニット６０や感度ボリューム５５などを配置する植付操作パネル５１を前記ダッシュボード１７のダッシュボード面１７ａに設けて、該植付操作パネル５１の植付操作パネル面５１ａを前記ハンドル軸９の軸心方向と直交する面、即ち操向ハンドル面１８ａよりも大きく前記運転席１９に向かって下り傾斜する傾斜面としたものである。
【００７６】
このように構成することにより、植付操作パネル面５１ａがダッシュボード面１７ａより所定角度運転席１９側に起立するように傾斜して配置されることとなるため、運転席１９に着座した作業者１００がダッシュボード面１７ａを見た時、太陽の光等が植付操作パネル面５１ａに反射して作業者１００の目に入るようなこともなくなって、植付操作パネル面５１ａが見やすくなり、植付用操作手段も容易に認識することが可能となる。したがって、植付用操作手段を容易に視認して操作することが可能となる。
また、植付操作パネル５１を他の操作手段と容易に区別することが可能になるとともに、植付用操作手段の操作方向が運転席１９に着座した作業者１００にとって操作しやすい方向になって、作業者１００が運転席１９に着座した状態で無理に手や指を曲げることなく容易に操作することが可能となる。したがって、植付用操作手段の操作性が向上する。
【００７７】
以上の如く、本発明の一実施形態に係る田植機１は、前記植付操作パネル５１を前記操向ハンドル１８のハンドル軸９よりも前記運転席１９側に配置したものである。すなわち、植付操作パネル５１は、運転席１９に着座した作業者１００にとってハンドル軸９よりも手前に配置されている。
【００７８】
このように構成することにより、運転席１９に着座した作業者１００が操向ハンドル１８及びハンドル軸９に遮られることなく植付用操作手段を見ることが可能となる。したがって、植付用操作手段の視認性が更に向上する。
また、運転席１９に着座した作業者１００が操向ハンドル１８を操作しながらでも、姿勢をほとんど変えずに植付用操作手段を操作することが可能となる。したがって、植付用操作手段の操作性が更に向上する。
【００７９】
以上の如く、本発明の一実施形態に係る田植機１は、前記植付部４０における作業状況を表示する表示パネル５０を前記ダッシュボード１７のダッシュボード面１７ａに設けて、この表示パネル５０の表示パネル面５０ａを前記運転席１９に向かって下り傾斜する傾斜面とし、前記植付操作パネル５１の植付操作パネル面５１ａを、前記表示パネル５０の表示パネル面５０ａと同一の勾配で、または該パネル面５０ａよりも小さな勾配で傾斜させたものである。
【００８０】
このように構成することにより、運転席１９に着座した作業者１００が、表示パネル面５０ａを見て植付部４０の作業状況を把握しながら、植付操作パネル面５１ａに位置する植付用操作手段の操作を行う際、表示パネル面５０ａと植付用操作手段とが同時に見やすくなる。したがって、植付用操作手段の操作を適確かつ容易に行うことができる。
【００８１】
以上の如く、本発明の一実施形態に係る田植機１は、前記植付操作パネルの植付操作パネル面５１ａに配置される植付用操作手段は、条止め操作手段、即ち条止め操作ユニット６０（条止めスイッチ６２、６３、６４、６５）とするものである。
【００８２】
このように構成することにより、条止め操作ユニット６０（条止めスイッチ６２、６３、６４、６５）を植付部４０や運転席１９側方に設ける構成に比べて、条止め操作ユニット６０（条止めスイッチ６２、６３、６４、６５）を容易に認識できて、操作しやすくなる。
【００８３】
以上の如く、本発明の一実施形態に係る田植機１は、前記条止め操作ユニット６０は、前記植付操作パネル５１に対して着脱可能に構成するものである。
【００８４】
このように構成することにより、条止め操作ユニット６０を植付操作パネル５１から外して、この条止め操作ユニット６０の代わりに、条止め操作ユニット１６０などの異なる仕様の条止め操作手段や蓋２６０などの別の部材を植付操作パネル５１に配置することが可能となる。したがって、植付操作パネル５１部分の仕様変更を容易に行うことができ、その仕様変更にかかるコストを削減することもできる。
【符号の説明】
【００８５】
１          田植機
９          ハンドル軸
１０        走行部
１７        ダッシュボード
１７ａ      ダッシュボード面（ダッシュボード１７の上面）
１８        操向ハンドル
１８ａ      操向ハンドル面（ハンドル軸９の軸心方向と直交する面）
１９        運転席
４０        植付部
５０        表示パネル
５０ａ      表示パネル面（表示パネル５０のパネル面）
５１        植付操作パネル
５１ａ      植付操作パネル面（植付操作パネル５１のパネル面）
６０        条止め操作ユニット
６２、６３、６４、６５  条止め操作手段
【図１】
2011055800.tif 000003
【図２】
2011055800.tif 000004
【図３】
2011055800.tif 000005
【図４】
2011055800.tif 000006
【図５】
2011055800.tif 000007
【図６】
2011055800.tif 000008